(57)【特許請求の範囲】
【請求項１】
一対のシェルを重ね合せることによって内部にディスク収納室を形成したカートリッジ筐体と、
上記ディスク収納室内に回転自在に収納されたディスク状記録媒体と、
上記カートリッジ筐体に取り付けられると共に相互に回動可能に連結され且つその回動により当該カートリッジ筐体に設けた開口部を開閉して上記ディスク状記録媒体の一部を露出可能とした一対のシャッタ部材を有するシャッタ機構と、
を備えたディスクカートリッジにおいて、
上記一対のシャッタ部材には、シャッタ閉状態において相互に結合されるシャッタ閉合機構を設けたことを特徴とするディスクカートリッジ。
【請求項２】
上記シャッタ閉合機構は、一方のシャッタ部材に設けたロック部と、他方のシャッタ部材に設けられ且つ上記ロック部に着脱可能に係合されるロック受け部とを有することを特徴とするディスクカートリッジ。
【請求項３】
上記ロック部は先端部に爪部を設けた弾性片からなり、上記ロック受け部は上記爪部が係合される突部を設けた切欠き部からなることを特徴とする請求項２記載のディスクカートリッジ。
【請求項４】
上記ロック部は弾性を有する一対のロック片からなり、上記ロック受け部は上記一対のロック片が係合される切欠き部からなることを特徴とする請求項２記載のディスクカートリッジ。
【請求項５】
上記一対のロック片は、先端部を円弧状に形成すると共に互いの凹側を対向させて配置することにより設けたことを特徴とする請求項２記載のディスクカートリッジ。
【請求項６】
上記一対のシャッタ部材のうち、一方のシャッタ部材は上記カートリッジ筐体に回動自在に支持し、他方のシャッタ部材は一方のシャッタ部材に回動自在に連結すると共に上記カートリッジ筐体の外部に先端部が突出される帯状部を設け、当該帯状部に外力を加えることにより一対のシャッタ部材の開閉動作を可能としたことを特徴とする請求項１記載のディスクカートリッジ。
【請求項７】
上記帯状部の一側部の先端には外力が入力される操作部を設け、当該一側部の長さを上記他方のシャッタ部材の移動ストロークよりも長くすると共に剛性を他の部分よりも低くして撓み変形を容易にしたことを特徴とする請求項６記載のディスクカートリッジ。
【請求項８】
上記一対のシャッタ部材のうち、一方のシャッタ部材には軸部を設けると共に他方のシャッタ部材には上記軸部が回動可能に係合される係合孔を設け、当該係合孔に軸部を係合することにより一対のシャッタ部材を回動可能に連結したことを特徴とする請求項６記載のディスクカートリッジ。
【請求項９】
上記軸部には直径方向両側に突出する庇部を設け、上記係合孔は特定位置においてのみ当該庇部が貫通可能とされた長孔であることを特徴とする請求項８記載のディスクカートリッジ。
【発明の詳細な説明】
【０００１】
【発明の属する技術分野】
本発明は、光ディスクや光磁気ディスク、磁気ディスク等のディスク状記録媒体がカートリッジ筐体内に回転自在に収容されたディスクカートリッジに関し、特に、カートリッジ筐体の開口部を開放してディスク状記録媒体の一部を露出させるシャッタ機構が第１のシャッタ部材と第２のシャッタ部材とを有するディスクカートリッジに関するものである。
【０００２】
【従来の技術】
従来、一般に、音声、映像或いはコンピュータのデータ等の情報の記録及び／又は再生が可能なディスク状記録媒体がカートリッジ筐体内に回転自在に収容されたディスクカートリッジとしては、例えば、図４０に示すような構成のものが知られている。このディスクカートリッジ１は、コンピュータのデータ等の情報を使用者が後から記録書き込みできる追記形光磁気ディスク４を内蔵しているディスクカートリッジであり、図４０に示すような外観形状を有している。
【０００３】
即ち、このディスクカートリッジ１は、一対の上シェル２ａ及び下シェル２ｂによって構成されるカートリッジ筐体２と、このカートリッジ筐体２のディスク収納室３内に回転自在に収容された光磁気ディスク４等を備えている。カートリッジ筐体２の上下両面には、中央部から一辺に向かって延びる上下の開口部５が設けられている。この開口部５は、その一辺に沿ってスライド可能とされたシャッタ部材６によって開閉可能とされている。６ａは、シャッタ部材６の先端部の抜け出しを防止するための押え部材である。
【０００４】
また、光磁気ディスク４の中央部には、金属によって円盤状に形成されたセンタハブ７が設けられている。このセンタハブ７は、開口部５の内側端部に対応されている。このセンタハブ７には、情報記録再生装置の本体側に設けられるターンテーブルが装着され、このターンテーブルによるチャッキングで光磁気ディスク４が所定速度（例えば、線速度一定）で回転駆動される。この際、開口部５内にヘッド部が挿入される光磁気ピックアップ装置により、光磁気ディスク４に対する情報信号の記録又は再生が行われる。
【０００５】
【発明が解決しようとする課題】
しかしながら、このような構成を有する従来のディスクカートリッジにおいては、開口部５を開閉するシャッタ部材６が断面コ字状をなすように形成されており、このシャッタ部材６をカートリッジ筐体２の一辺に嵌め合わせ、その一辺に沿ってシャッタ部材６をスライドさせて開口部５を開閉する構造となっていた。そのため、カートリッジ筐体２とシャッタ部材６との間に大きな隙間ができてしまい、微小なゴミや埃等の侵入を防ぐことができないという不十分な点があった。
【０００６】
特に、近年では、光ディスクの大容量化・高記録密度化の流れの中、記録パターンの狭ピッチ化、線密度の増大化が進んでいる。光ディスク或いは光磁気ディスクは、記録面上にゴミや埃が侵入することによって読取り或いは書込みビームが遮蔽されたり、情報記録面が傷つけられたりすることがあり、これによって正常な情報の読み書きができなくなってしまう場合がある。
【０００７】
ところが、更なる大容量化・高記録密度化により、従来では影響の少なかった微小なゴミや埃であってもデータの読み書きに対する影響度が増加し、上述したように単に上下シェル２ａ，２ｂを重ね合せて組み立てただけでは、微小なサイズのゴミや埃の侵入を防ぐことができなかった。この場合、カートリッジ筐体２内に侵入した微小なゴミが光磁気ディスク４の情報記録面に付着すると、このゴミによって情報記録面が傷つけられた場合ど同様の状態となり、正常な情報の読み書きができなくなってしまうという問題がある。
【０００８】
そこで、本願特許出願人は、上述したような問題点に鑑みて、図４１に示すようなディスクカートリッジに関する特許出願を行った（特願平11−195044号）。このディスクカートリッジ８は、上シェル９ａ及び下シェル９ｂからなるカートリッジ筐体９と、このカートリッジ筐体９のディスク収納室１０内に収納された光ディスク１１と、この光ディスク１１の一部を露出させるためカートリッジ筐体９に設けた開口部１２を開閉するシャッタ機構１３と、このシャッタ機構１３を保護するためカートリッジ筐体９に取り付けられたカバー部材１４等を備えている。
【０００９】
上シェル９ａと下シェル９ｂとを重ね合せて接合することによってカートリッジ筐体９が形成され、このカートリッジ筐体９のディスク収納室１０内に光ディスク１１が回転自在に収納されている。このカートリッジ筐体９の下シェル９ｂ側にシャッタ機構１３を覆うようにカバー部材１４が取り付けられており、このカバー部材１４によってシャッタ機構１３の保護とカートリッジ筐体９の防塵等が図られている。
【００１０】
このようなディスクカートリッジ８のシャッタ機構１３は、第１のシャッタ部材１５と第２のシャッタ部材１６とから構成されている。第１のシャッタ部材１５は、カートリッジ筐体９に設けた開口部１２のうち、光ピックアップ装置が出し入れされる記録及び／又は再生用の開口部を開閉するもので、シャッタ部１５ａと帯状部１５ｂとを有している。シャッタ部１５ａは略台形とされており、一方の斜辺は円弧状に形成されていて、この円弧状斜辺に連続して帯状部１５ｂが設けられている。帯状部１５ｂは、円弧状斜辺の一側に連続すると共に同程度の曲率半径を有する円弧状ガイド１５b1と、円弧状斜辺の他側に連続して直線状に突出する直線状ガイド１５b2とを有している。
【００１１】
この帯状部１５ｂは、上シェル９ａの内壁９a1と下シェル９ｂの周壁９b1との間に形成されたガイド部１７内に移動可能に収納されている。ガイド部１７は、ディスク収納室１０の周囲を取り囲むように円弧状に形成されている。このガイド部１７の一端は下シェル９ｂの側壁９a2によって閉鎖されている。一方、ガイド部１７の他端は上シェル９ａの側壁９a3に開口されており、その開口部から直線状ガイド１５b2の先端に設けた操作部１３ａが露出されている。この操作部１３ａを押圧してカートリッジ筐体９の側面に設けたガイド溝１７ｂ内を背面側へ移動させることにより、第１のシャッタ部材１５が図４２に示す状態から図４３に示す状態に変化する。その結果、シャッタ部１５ａが回動変化して開口部１２の記録及び／又は再生用の開口部が開かれる。
【００１２】
この第１のシャッタ部材１５の回動に連動して第２のシャッタ部材１６が、第１のシャッタ部材１５と反対側に回動される。即ち、第２のシャッタ部材１６は、カートリッジ筐体９の背面側の一方の角部において、支持ピン１６ａによりカートリッジ筐体９に回動自在に支持されている。この第２のシャッタ部材１６の他端はカートリッジ筐体９の中央部まで延在され、コイルバネ１８によって第１のシャッタ部材１５側に付勢されている。これにより、第２のシャッタ部材１６の前端縁に設けた係止部１６ｂが第１のシャッタ部材１５の後端縁に設けた凸部１５ｃに当接されている。
【００１３】
この第１のシャッタ部材１５の凸部１５ｃは、図４２に示すように、第１のシャッタ部材１５が開口部１２を閉じている状態では、カートリッジ筐体９の前後方向略中央部に位置している。この状態から、図４３に示すように、第１のシャッタ部材１５を回動させて開口部１２を開くことにより、凸部１５ｃがカートリッジ筐体９の背面側に移動する。そのため、凸部１５ｃの移動力が係止部１６ｂに作用し、コイルバネ１８の付勢力に抗して第２のシャッタ部材１６が背面側に後退する。この第２のシャッタ部材１６の回動変化により、開口部１２の駆動用開口部が開かれる。
【００１４】
このような先行技術に係るディスクカートリッジ８によれば、シャッタ機構１３が２つのシャッタ部材１５，１６の組み合せからなり、そのシャッタ機構１３をカバー部材１４で保護する構成となっていたため、ゴミや埃等の侵入を効果的に防止できると共に、シャッタ機構をスムースに動作させることができるという効果を得ることができる。
【００１５】
ところが、第１のシャッタ部材１５と第２のシャッタ部材１６とは、コイルバネ１８のバネ力で係止部１６ｂを凸部１５ｃに付勢して係合させ、コイルバネ１８のバネ力だけで閉じ合せる構造となっていた。そのため、コイルバネ１８のバネ力に抗する力がその付勢方向と反対側に作用すると、第２のシャッタ部材１６が比較的簡単に回動してシャッタ機構１３が開いてしまうという課題があった。
【００１６】
本発明は、このような先行技術に係るディスクカートリッジの課題に鑑みてなされたものであり、シャッタ機構を閉じたときにはシャッタ閉合機構で一対のシャッタ部材を互いに係合させることにより、より確実にシャッタ機構を閉じることができるようにして、上述したような先行技術の課題を解決することを目的としている。
【００１７】
【課題を解決するための手段】
上述したような課題を解決し、上記目的を達成するために、本出願の請求項１記載のディスクカートリッジは、一対のシェルを重ね合せることによって内部にディスク収納室を形成したカートリッジ筐体と、ディスク収納室内に回転自在に収納されたディスク状記録媒体と、カートリッジ筐体に取り付けられると共に相互に回動可能に連結され且つその回動によりカートリッジ筐体に設けた開口部を開閉してディスク状記録媒体の一部を露出可能とした一対のシャッタ部材を有するシャッタ機構と、を備えたディスクカートリッジにおいて、一対のシャッタ部材には、シャッタ閉状態において相互に結合されるシャッタ閉合機構を設けたことを特徴としている。
【００１８】
本出願の請求項２記載のディスクカートリッジは、シャッタ閉合機構は、一方のシャッタ部材に設けたロック部と、他方のシャッタ部材に設けられ且つロック部に着脱可能に係合されるロック受け部とを有することを特徴としている。
【００１９】
本出願の請求項３記載のディスクカートリッジは、ロック部は先端部に爪部を設けた弾性片からなり、ロック受け部は爪部が係合される突部を設けた切欠き部からなることを特徴としている。
【００２０】
本出願の請求項４記載のディスクカートリッジは、ロック部は弾性を有する一対のロック片からなり、ロック受け部は一対のロック片が係合される切欠き部からなることを特徴としている。
【００２１】
本出願の請求項５記載のディスクカートリッジは、一対のロック片は、先端部を円弧状に形成すると共に互いの凹側を対向させて配置することにより設けたことを特徴としている。
【００２２】
本出願の請求項６記載のディスクカートリッジは、一対のシャッタ部材のうち、一方のシャッタ部材はカートリッジ筐体に回動自在に支持し、他方のシャッタ部材は一方のシャッタ部材に回動自在に連結すると共にカートリッジ筐体の外部に先端部が突出される帯状部を設け、この帯状部に外力を加えることにより一対のシャッタ部材の開閉動作を可能としたことを特徴としている。
【００２３】
本出願の請求項７記載のディスクカートリッジは、帯状部の一側部の先端には外力が入力される操作部を設け、この一側部の長さを他方のシャッタ部材の移動ストロークよりも長くすると共に剛性を他の部分よりも低くして撓み変形を容易にしたことを特徴としている。
【００２４】
本出願の請求項８記載のディスクカートリッジは、一対のシャッタ部材のうち、一方のシャッタ部材には軸部を設けると共に他方のシャッタ部材には軸部が回動可能に係合される係合孔を設け、この係合孔に軸部を係合することにより一対のシャッタ部材を回動可能に連結したことを特徴としている。
【００２５】
本出願の請求項９記載のディスクカートリッジは、軸部には直径方向両側に突出する庇部を設け、係合孔は特定位置においてのみ当該庇部が貫通可能とされた長孔であることを特徴としている。
【００２６】
上述のように構成したことにより、本出願の請求項１記載のディスクカートリッジでは、シャッタ機構が閉じたときには一対のシャッタ部材に設けたシャッタ閉合機構が作動してシャッタ機構がロックされるため、一対のシャッタ部材を確実に閉合させて所定以下の力ではシャッタ機構が開放することがない。
【００２７】
本出願の請求項２記載のディスクカートリッジでは、一方のシャッタ部材のロック部が他方のシャッタ部材のロック受け部に着脱可能に係合されるため、一対のシャッタ部材を相互に結合させてシャッタ機構を簡単且つ確実にロックすることができる。
【００２８】
本出願の請求項３記載のディスクカートリッジでは、爪部を設けた弾性片をロック部として形成すると共に、凸部を設けた切欠き部をロック受け部として形成することにより、一対のシャッタ部材を相互に結合して開口部を簡単且つ確実にロックすることができる。
【００２９】
本出願の請求項４記載のディスクカートリッジでは、弾性を有する一対のロック片をロック部として形成すると共に、切欠き部をロック受け部として形成することにより、一対のシャッタ部材を相互に結合して開口部を簡単且つ確実にロックすることができる。
【００３０】
本出願の請求項５記載のディスクカートリッジでは、弾性を有する一対のロック片でロック部を形成すると共に、切欠き部をロック受け部として形成することにより、一対のシャッタ部材を相互に結合して開口部を簡単且つ確実にロックすることができる。
【００３１】
本出願の請求項６記載のディスクカートリッジでは、第２のシャッタ部材がカートリッジ筐体に回転自在に支持され、このシャッタ部材に第１のシャッタ部材が回転自在に連結されていて、第１のシャッタ部材に設けた帯状部がカートリッジ筐体の外部に突出されているため、この帯状部に外力を加えて開閉操作することにより、一対のシャッタ部材を確実且つスムースに開閉動作させることができる。
【００３２】
本出願の請求項７記載のディスクカートリッジでは、帯状部の一側部の長さが第１のシャッタ部材の移動ストロークよりも長く設定されているため、シャッタ機構を閉じる際に一側部を撓み変形させて一対のシャッタ部材をオーバーストロークさせることができ、これにより、シャッタ機構のガタを吸収して開口部を確実且つスムースに閉じることができる。
【００３３】
本出願の請求項８記載のディスクカートリッジでは、第１のシャッタ部材の帯状部に外力を加えて開閉操作することにより、一対のシャッタ部材に回動運動を生じさせてシャッタ機構を確実且つスムースに開閉動作させることができる。
【００３４】
本出願の請求項９記載のディスクカートリッジでは、係合孔に庇部を貫通させた後相対的に回動させることによって一対のシャッタ部材を回動自在に連結し、部分組立を可能として組立性の向上を図ることができる。
【００３５】
【発明の実施の形態】
以下、本発明の実施の形態を添付図面を参照して説明する。図１〜図３９は、本発明のディスクカートリッジの実施の例を示すものである。即ち、図１はディスクカートリッジの第１の実施例を上面側から見た分解斜視図、図２は同じく下面側から見た分解斜視図、図３は上シェルの底面図、図４は下シェルの平面図、図５は中シェルの平面図、図６は中シェルの中央部縦断面図、図７は図５のＶ−Ｖ線拡大断面図、図８は第１のシャッタ部材の斜視図、図９は第２のシャッタ部材の斜視図、図１０は第１のシャッタ部材と第２のシャッタ部材を部分組立したシャッタ機構の閉状態を示す平面図、図１１は図１０のＷ−Ｗ線拡大断面図、図１２は同じくシャッタ機構の開状態を示す平面図である。
【００３６】
また、図１３は上シェルに光ディスクを収納した底面図、図１４は図１３に中シェルを組み立てた底面図、図１５は図１４に第１のシャッタ部材を組み立てた底面図、図１６は図１５に第２のシャッタ部材を組み立てた底面図、図１７は図１６に下シェルを組み立てた底面図、図１８は下シェルに第１及び第２のシャッタ部材を組み立てた平面図、図１９は図１６のシャッタ機構を開いた底面図、図２０Ａ，Ｂは第１のシャッタ部材とロック機構との関係を示す説明図、図２１は第１の実施例に係るディスクカートリッジの外観構成を示す斜視図である。
【００３７】
更に、図２２は図２１のＸ−Ｘ線拡大断面図、図２３は図２１に示すディスクカートリッジの構成を説明するための中央部縦断面図、図２４Ａ，Ｂは本実施例及び従来例の防塵効果を比較する説明図、図２５は本発明のディスクカートリッジを使用可能な情報記録再生装置の回路構成の一実施例を示すブロック説明図、図２６は図２５の情報記録再生装置に対する本発明のディスクカートリッジの挿入前の状態を示す斜視図、図２７は同じく情報記録再生装置に対するディスクカートリッジの挿入中の状態を示す斜視図、図２８は同じく情報記録再生装置に対するディスクカートリッジの挿入後の状態を示す斜視図である。
【００３８】
また、図２９乃至図３４は、本発明のディスクカートリッジのシャッタ機構の第２の実施例を示すものである。即ち、図２９は第２の実施例に係るシャッタ機構を上シェルに組み立てて開いた状態を示す斜視図、図３０は同じくシャッタ機構を示す開状態の底面図、図３１は同じく上シェルに組み立てて閉じた状態を示す斜視図、図３２は同じくシャッタ機構を示す閉状態の底面図、図３３Ａ，Ｂは図３０の要部を拡大して示す底面図及び平面図、図３４Ａ，Ｂは第１及び第２のシャッタ部材の組立工程を説明する要部拡大底面図及びそのＹ−Ｙ線断面図、図３５Ａ，Ｂは図３２のＺ−Ｚ線部分の断面図である。
【００３９】
更に、図３６乃至図３９は、本発明のディスクカートリッジのシャッタ機構の第３及び第４の実施例を示すものである。即ち、図３６は第３の実施例に係るシャッタ機構の開状態の底面図、図３７は同じく閉状態の底面図、図３８は第４の実施例に係るシャッタ機構の開状態の底面図、図３９は同じく閉状態の底面図である。
【００４０】
第１の実施例として示すディスクカートリッジ２０は、ディスク状記録媒体として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスク２１を収納したものである。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他の記憶媒体を適用することができるものである。
【００４１】
このディスクカートリッジ２０は、図１及び図２に示すように、一対の上シェル２３、下シェル２４及び中シェル２５を重ね合せることによって形成されるカートリッジ筐体２２と、このカートリッジ筐体２２内に形成されたディスク収納室２６内に回転自在に収容される光ディスク２１と、下シェル２４及び中シェル２５に形成された開口部２７ａ，２７ｂを開閉するシャッタ機構２８等を備えて構成されている。
【００４２】
上シェル２３は、図１〜図３に示すように、正面側が円弧形状とされた略四角形をなす薄い皿状の部材からなり、凹部側である内面を下にして配置される。この上シェル２３の周縁には前側壁２３ａと左右の側壁２３ｂ，２３ｃと、後側壁２３ｄとが下方へ突出するように設けられている。これら側壁２３ａ〜２３ｄの内側には、四辺において各側壁２３ａ〜２３ｄと内接する円周方向に連続された円形の内壁２３ｅが設けられている。この内壁２３ｅの内側には中シェル２５が嵌合され、この中シェル２５と上シェル２３とによってディスク収納部２６が形成されている。
【００４３】
上シェル２３の前側壁２３ａの中央部及びこれに対応する内壁２３ｅの中央部には、ディスク記録再生装置に装着する際に光学ピックアップ装置の光学ヘッドを通過させるための切欠き２９ａ，２９ｂが設けられている。更に、前側壁２３ａと内壁２３ｅとの間には、内壁２３ｅの外周面に沿って延びる円弧状の通路からなる帯ガイド部３０が設けられている。この帯ガイド部３０は、一方の側壁２３ｂの内側から他方の側壁２３ｃの内側まで延在され、更に、その側壁２３ｃを貫通する通し孔２９ｃによって外部に連通されている。
【００４４】
また、上シェル２３の左右の側壁２３ｂ，２３ｃには、ディスク記録再生装置に装着する際の位置決めや誤挿入防止等の役割を果たす側壁溝３１ａ，３２ａが前後方向に延在されて設けられている。一方の側壁溝３１ａは上シェル２３の前側部分のみとされている一方、他方の側壁溝３２ａは上シェル２３の背面まで貫通されている。この側壁溝３２ａには、通し孔２９ｃが開口されている。更に、上シェル２３の内側の四隅には、下シェル２４をネジ止めするための凸部３３がそれぞれ設けられている。更に、右側壁２３ｃ側の前隅部には、ロック部材３５を回動自在に支持する軸凸部３４ａが設けられている。
【００４５】
ロック部材３５は、図１及び図２０Ａ，Ｂ等に示すように、軸凸部３４ａに回動自在に嵌合される円筒状の筒軸部３５ａと、この筒軸部３５ａの外周面から側方へ突出するように設けられたロック片３５ｂ、操作片３５ｃ及びバネ片３５ｄを有している。ロック片３５ｂとバネ片３５ｄが同方向へ突出されていて、これらと逆方向へ操作片３５ｃが突出されている。バネ片３５ｄは、上シェル２３の前側壁２３ａの内面に圧接され、このバネ片３５ｄのバネ力によりロック片３５ｂが帯ガイド部３０側に付勢される。これと同時に、操作片３５ｃが上シェル２３の右側壁２３ｃに設けた貫通孔２９ｄを貫通し、その先端部が側壁溝３２ａ内に突出される。
【００４６】
また、上シェル２３の右側壁２３ｃ側の後隅部には、シャッタ機構２８を回動自在に支持する軸凸部３４ｂが設けられている。更に、左側壁２３ｂ側の後隅部には、光ディスク２１に記録された情報の誤消去を防止するための誤消去防止片３６が収納される防止片収納部３７が設けられている。この防止片収納部３７は、カートリッジ筐体２２の背面に開口する操作窓３７ａを有し、この操作窓３７ａを開閉するように誤消去防止片３６がスライド可能に取り付けられている。誤消去防止片３６は、図１及び図２に示すように、操作窓３７ａを開閉する開閉部３６ａと、この開閉部３６ａの操作時にクリック感を付与する抵抗部３６ｂとを有している。
【００４７】
このような構成を有する上シェル２３の材質としては、例えば、ＡＢＳ樹脂（アクリロニトリル・ブタジエン・スチレン樹脂）やＨＩＰＳ（高衝撃性ポリスチレン）等の合成樹脂が好適である。しかしながら、その他の合成樹脂を適用できることは勿論のこと、アルミニウム合金その他の金属材料を用いることもできる。本実施例では、上シェル２３は、２色のＡＢＳ樹脂を用いて２色成形によって形成されている。即ち、図３において、Ｃ字状をなす透し窓２３Ａが無色透明のＡＢＳ樹脂によって形成されており、その他の部分は適当な色のＡＢＳ樹脂によって形成されている。この透し窓２３Ａからディスク収納室２６内を覗き見することができるようになっている。
【００４８】
このような上シェル２３の内壁２３ｅ内に嵌合される中シェル２５は、図１、図２及び図５乃至図７に示すような構成を有している。この中シェル２５は、薄い円盤状の板材によって形成されており、その外周縁には一面側に突出し且つ円周方向に連続する側壁２５ａが設けられている。更に、中シェル２５には、外周縁の一部に開口され且つ半径方向内側に延在されて中央部に達する開口部２７が設けられている。この開口部２７は、下シェル２４の開口部３８に対応させて設けたもので、両開口部２７，３８は同様の形状及び大きさに形成されている。
【００４９】
これらの開口部２７，３８は、ディスク記録再生装置のターンテーブルと光学ピックアップ装置の光学ヘッドを出入りさせるために設けたもので、それらの出入りが可能な形状及び大きさに形成されている。即ち、開口部２７，３８の中央部は、ターンテーブルが出入りするためのテーブル用領域である。このテーブル用領域には光学ヘッドが出入りするためのヘッド用領域が連続して形成されており、このヘッド用領域が半径方向外側に直線状に延在されて外周縁に開口されている。更に、開口部２７，３８の半径方向に延びる側縁部の一方には段部２７ａ，３８ａを設けており、これによりヘッド用領域の幅がテーブル用領域の幅よりも若干幅広に形成されている。
【００５０】
また、中シェル２５には、側壁２５ａが突出する側に円弧状に膨出されると共に円周方向に無端状に連続するリブ部３９が設けられている。このリブ部３９は、開口部２７の中央内周縁に沿って円弧状に連続された内側リブ部３９ａと、側壁２５ａに沿って円周方向に連続された外側リブ部３９ｂと、開口部２７ｂの両側縁に沿って半径方向に延在されると共に半径方向内側において内側リブ部３９ａに連続され且つ同外側において外側リブ部３９ｂに連続された半径方向リブ部３９ｃ，３９ｃとを有している。
【００５１】
このリブ部３９は、中シェル２５の強度を増加させると共に平面度を向上させて面振れを除去又は小さくさせる役割を有する。更に、リブ部３９のうち内側リブ部３９ａには、中シェル２５内に収納された光ディスク２１を支える役割が与えられている。そのため、内側リブ部３９ａは、光ディスク２１のセンタ孔２１ａの近傍に設けられた内側非記録領域と対応する位置に形成されている。この内側リブ部３９ａで光ディスク２１の内側非記録領域を支持することにより、その半径方向外側に設けられた情報記録面が中シェル２５の表面と接触しないようにしている。
【００５２】
即ち、内側リブ部３９ａの高さＨ1 が最も高く設定されていて、外側リブ部３９ｂの高さＨ2 が２番目の高さに設定され、半径方向リブ部３９ｃの高さＨ3 が最も低く設定されている（Ｈ1 ＞Ｈ2 ＞Ｈ3 ）。この場合、内側リブ部３９ａの高さＨ1 と外側リブ部３９ｂの高さＨ2 は同一であってもよい。しかしながら、半径方向リブ部３９ｃは常に内側リブ部３９ａ及び外側リブ部３９ｂよりも低く設定する。このような高さ関係を各リブ部３９ａ，３９ｂ，３９ｃ間に持たせることにより、半径方向リブ部３９ｃが光ディスク２１の情報記録面に接触するのを確実に防止することができる。
【００５３】
尚、リブ部３９の外側リブ部３９ｂは、光ディスク２１の外周縁に設けられた外側非記録領域と対応する位置に形成するようにする。これにより、光ディスク２１の外周縁が中シェル２５の表面と接触した場合にも、外側リブ部３９ｂによって光ディスク２１の情報記録面が傷つけられるおそれをなくすことができる。
【００５４】
また、中シェル２５は、図６に示すように中央部を高くして外周縁側を低くした球面部を有するドーム形状に形成されている。いま、中シェル２５の中央部の高さをＨａ、外周縁の高さをＨｂとすると、中央部と外周縁との高さの差ΔＨ（＝Ｈａ−Ｈｂ）は０．０３ｍｍ乃至０．３ｍｍとすることが好ましく、最も好適な値は０．１ｍｍ程度である。この中シェル２５の材質としては、例えば、ステンレス鋼（ＳＵＳ３４０）が好適であり、厚さ０．２ｍｍのステンレス鋼を使用したところ良い結果が得られた。しかしながら、ステンレス鋼以外の他の金属を用いることができることは勿論のこと、ＡＢＳ樹脂やＨＩＰＳ等の合成樹脂を用いることもできる。
【００５５】
更に、中シェル２５の開口部２７の左右の開口端縁には、一対の位置決め用の切欠き部２７ｂ，２７ｂが設けられている。この一対の切欠き部２７ｂ，２７ｂに対応して上シェル２３には、図示しないが位置決め用の凸部が設けられている。従って、位置決め用凸部に切欠き部２７ｂ，２７ｂを当接させて所定の状態で中シェル２５を上シェル２３の内壁２３ｅ内に嵌合することにより、中シェル２５が上シェル２３に対して自動的に位置決めされる。これにより、開口部２７が所定の方向に延在された状態で開口される。
【００５６】
このような中シェル２５と上シェル２３とで囲まれることによって形成されるディスク収納室２６内に収納される光ディスク２１は、中央部にセンタ穴２１ａが設けられた厚みの薄い円板状の記録部材からなる。この光ディスク２１の中央部の一面には、センタ穴２１ａを覆うようにセンタハブ４０が接着剤等の固着手段によって固定されている。センタハブ４０は、マグネットによって吸着される鉄板等の磁性材料によって形成されている。このセンタハブ４０にはディスク記録再生装置に内蔵されるディスク回転駆動装置のターンテーブルが嵌合される。このターンテーブルとセンタハブ４０が磁力によってチャッキングされることにより、光ディスク２１がターンテーブルと回転方向に一体化され、ターンテーブルによって回転駆動される。
【００５７】
この光ディスク２１の一面には、ディスク記録再生装置に内蔵される光学ピックアップ装置の光学ヘッドが対向される情報記録の可能な情報記録領域４１と、情報記録の不可能な非記録領域とが設けられている。非記録領域は、光ディスク２１の内側であるセンタハブ４０の外側に所定幅で設けられた内側非記録領域４２ａと、光ディスク２１の外周縁に所定幅で設けられた外側非記録領域４２ｂとからなる。この内外の非記録領域４２ａ，４２ｂ間に情報記録領域４１が設けられている。この光ディスク２１の基板の材質としては、例えば、ポリカーボネート（ＰＣ）やポリオレフィン等の合成樹脂が好適であるが、他の合成樹脂を用いることができることは勿論のこと、合成樹脂以外であっても情報記録媒体として用いられるガラス材やアルミニウム合金等の各種の材料を用いることができる。
【００５８】
下シェル２４は、図１，図２及び図４等に示すように、その外観形状は上シェル２３と対応する形状とされており、正面側が円弧形状とされた略四角形をなす薄い皿状の部材からなる。この下シェル２４は凹部側である内面を上にして配置され、その周縁には前側壁２４ａと左右の側壁２４ｂ，２４ｃと、後側壁２４ｄとが上方へ突出するように設けられている。前側壁２４ａと左右の側壁２４ｂ，２４ｃとが連続する前側の左右両隅部には、円弧状の内壁２４ｅ，２４ｅが設けられている。各内壁２４ｅの外側には、前側壁２４ａ及び左右側壁２４ｂ，２４ｃとの間に所定の隙間をあけて外壁２４ｆ，２４ｆが設けられている。
【００５９】
更に、下シェル２４には、前面部中央に開口され且つ後方に真っ直ぐ延在されて中央部に達する開口部３８が設けられている。この開口部３８は、中シェル２５の開口部２７と対をなすもので、組立時には両開口部２７，３８は互いに重なり合うように形成されている。
【００６０】
かくして、下シェル２４に上シェル２３を組付けて重ね合せると、下シェル２４の前側壁２４ａ、左右の側壁２４ｂ，２４ｃ及び後側壁２４ｄの内側に上シェル２３の前側壁２３ａ、左右の側壁２３ｂ，２３ｃ及び後側壁２３ｄが入り込む。そして、上シェル２３の内壁２３ｅの外側に所定の隙間をあけて下シェル２４の内壁２４ｅが対向するように設置される。この上シェル２３の内壁２３ｅと下シェル２４の内壁２４ｅとの間に設定された円弧状の空間部によって、シャッタ機構２８の第１のシャッタ部材に設けた帯状部をガイドする帯ガイド部３０が形成されている。
【００６１】
また、下シェル２４の内壁２４ｅと外壁２４ｆとで囲まれた領域内には、上シェル２３と下シェル２４をネジ止めするための固定ネジが挿通される凸部４４がそれぞれ設けられている。この凸部４４は、下シェル２４の後側の両隅部にも設けられている。更に、後側両隅部の近傍には、一対の凸部４５，４５が設けられている。そして、各凸部４５には、ディスクカートリッジ２０をディスク記録再生装置の所定位置に位置決めするための一対の位置決め穴４５ａ，４５ｂが穿設されている。
【００６２】
図４及び図１７に示す符号４６は、上述した誤消去防止片３６の下面の一部を露出させるための表示穴である。従って、この実施例によれば、ディスクカートリッジ２０の背面及び下面の二方向から誤消去防止片３６の状態を目視により確認し、或いは機械によって自動的に検出することができる。尚、表示穴を上シェル２３にも設けることにより、背面及び下面に上面を加えた三方向から目視を可能とすることができる。
【００６３】
また、下シェル２４の左右の側壁２４ｂ，２４ｃには、上シェル２３の左右の側壁２３ｂ，２３ｃに設けた側壁溝３１ａ，３２ａとそれぞれ一体となってガイド溝３１，３２を形成する側壁溝３１ｂ，３２ｂが同様に前後方向に延在されて設けられている。即ち、一方の側壁溝３１ｂは下シェル２４の前側部分のみとされている一方、他方の側壁溝３２ｂは下シェル２４の背面まで貫通されている。この側壁溝３２ｂには、内壁２４ｅの内側に連通される通し孔２９ｃが開口されている。更に、通し孔２９ｃのある側の内壁２４ｅには、ロック部材３５のロック片３５ｂを出し入れさせる切欠き４７が設けられている。
【００６４】
このような構成を有する下シェル２４の材質としては、例えば、ＡＢＳ樹脂やＨＩＰＳ等の合成樹脂が好適である。しかしながら、その他の合成樹脂を適用できることは勿論のこと、アルミニウム合金その他の金属材料を用いることもできる。更に、２色又は３色以上の合成樹脂を使用して、２色成形或いは多色成形できることは勿論である。
【００６５】
シャッタ機構２８は、図１、図２及び図８〜図１２に示すように、第１のシャッタ部材５０と第２のシャッタ部材５１との組み合せからなる一対のシャッタ部材によって構成されている。第１のシャッタ部材５０は、開口部２７，３８のうちヘッド用領域を開閉する略扇形状をしたシャッタ部５０ａと、このシャッタ部５０ａの先端縁に連続し且つ円弧状に湾曲されて一体に形成された帯状部５０ｂとを備えている。シャッタ部５０ａの中央側には、側方に湾曲するように突出されたアーム部５２が設けられている。このアーム部５２の先端部には、一面側にリング状に突出する筒軸部５２ａが設けられている。この筒軸部５２ａは、例えば、バーリング加工によって形成することができる。しかしながら、軸ピンをカシメ止め或いは圧入する等して筒軸部５２ａに代えることもできる。
【００６６】
第１のシャッタ部材５０の帯状部５０ｂは、シャッタ部５０ａの先端縁から一面側に突出されており、全体が帯ガイド部３０の曲率半径と略同一の曲率半径によって円弧状に形成されている。この帯状部５０ｂは、シャッタ部５０ａの先端縁全体から一方の突出側にかけて厚肉に形成された厚肉部５３ａと、この厚肉部５３ａの一端から他方の突出側にかけて薄肉に形成された薄肉部５３ｂとを有している。帯状部５０ｂの厚肉部５３ａは、その曲面形状を保持できるように適度な剛性が付与されており、帯ガイド部３０にガイドされて円周方向に曲線運動が容易に行えるように形成されている。この厚肉部５３ａの先端側には、幅方向の一側を適宜な長さに亘って細くする切欠き５３ｃが設けられている。この切欠き５３ｃは、第１のシャッタ部材５０の開放状態において光学ヘッドが開口部２７，３８内に入り込むのを許容するために設けたものである。
【００６７】
帯ガイド部３０の薄肉部５３ｂは、厚肉部５３ａよりも肉厚を薄くすることによって適度な弾性を付与し、肉厚方向へ容易に弾性変形し得るように構成している。これにより、図１２及び図１９に示すように、第１のシャッタ部材５０が開方向へ移動したとき、薄肉部５３ｂはカートリッジ筐体２２のガイド溝３２にガイドされて曲線運動から直線運動へ容易に変化することができる。更に、薄肉部５３ｂの先端部には、シャッタ機構２８の開閉動作時に外力が入力される突起状の操作部５３ｄが設けられている。この操作部５３ｄは、第１のシャッタ部材５０をカートリッジ筐体２２に組み立てた状態においてガイド溝３２内に突出される。
【００６８】
更に、薄肉部５３ｂの中途部には、ロック部材３５のロック爪３５ｂが係合されるロック孔５４が設けられている。このロック孔５４は、第１のシャッタ部材５０が開状態にあるときにロック機構に臨む位置に設定されている。このロック孔５４にロック爪３５ｂを係合することにより、第１のシャッタ部材５０がロックされてシャッタ機構が開状態に保持される。
【００６９】
また、第２のシャッタ部材５１は、シャッタ部として重なり合うように形成された略三角形をなす内シャッタ片５１ａと外シャッタ片５１ｂとを有している。外シャッタ片５１ｂには、内シャッタ片５１ａとの間を連結する連結部５１ｃと反対側に突出するアーム部５５が設けられている。アーム部５５の先端部には、第２のシャッタ部材５１の回動中心となる筒軸部５５ａが設けられている。この筒軸部５５ａは、アーム部５５の先端部に設けた孔をバーリング加工することによって形成され、内シャッタ片５１ａ側に突出されている。この筒軸部５５ａを上シェル２３の軸凸部３４ｂに嵌合することにより、第２のシャッタ部材５１がカートリッジ筐体２２に回転可能に保持される。
【００７０】
更に、外シャッタ片５１ｂのアーム部５５との連結部には、第１のシャッタ部材５０を回動可能に連結するための係合孔５６が設けられている。この係合孔５６は、第１のシャッタ部材５０のシャッタ部５０ａの重合縁５７ａを挟み込む重合縁５７ｂが延びる方向に延在されている。係合孔５６のアーム部５５側の一端は、他の部分よりも直径が大とされており、この大径部５６ａによって筒軸部５２ａの挿入が容易に行えるようにしている。尚、連結部５１ｃの先端部には、シャッタ部５０ａを通すための切欠き５１ｄが設けられている。
【００７１】
かくして、図１０及び図１２に示すように、第１のシャッタ部材５０の筒軸部５２ａを第２のシャッタ部材５１の係合孔５６に係合することにより、一対のシャッタ部材５０，５１からなるシャッタ機構２８を部分組み立てすることができる。尚、図１１Ｂに示すように、第２のシャッタ部材５１と同様に第１のシャッタ部材５０も２つに折り曲げて内シャッタ片５０ｃ及び外シャッタ片５０ｄを形成し、互いの開口部を噛み合わせる構成とすることにより、気体が流れる流路を更に複雑にしてゴミや埃等の侵入をより効果的に防止することができる。
【００７２】
このような構成を有する第１及び第２のシャッタ部材５０，５１の材質としては、例えば、ステンレス鋼その他の金属、ＡＢＳ樹脂やＨＩＰＳ等の合成樹脂を使用し、金属や合成樹脂の単一材料で形成することができる。更に、金属と合成樹脂とを組み合せ、複合材料として両シャッタ部材５０，５１を形成することもできる。例えば、第１のシャッタ部材５０と第２のシャッタ部材５１とが重なり合う部分を摩擦係数の小さな合成樹脂で被覆する。これにより、金属が持つ剛性によってシャッタ機構２８の薄型化を確保しつつ接触部分の摩擦力を軽減して耐久性の向上を図ることができる。
【００７３】
この実施例に係るディスクカートリッジ２０は、例えば、次のようにして組み立てることができる。このディスクカートリッジ２０の組立作業は、図２に示すように、上シェル２３を下にした状態で行われる。まず、図３に示す上シェル２３の内壁２３ｅ内に光ディスク２１を収納する。このとき、光ディスク２１は、センタハブ４０のある面を下にして内壁２３ｅ内に入れる。この光ディスク２１を収納した状態が、図１３に示す図である。
【００７４】
次に、図１４に示すように、中シェル２５を、平面部を上にして内壁２３ｅ内に嵌め込む。このとき、中シェル２５は、その開口部２７を上シェル２３の切欠き２９ａ，２９ｂのある側に向けて嵌め込み、切欠き部２７ｂを上シェル２３の位置決め突起に合せる。これにより、中シェル２５が上シェル２３に対して自動的に位置決めされ、中シェル２５と上シェル２３とで形成されるディスク収納室２６内に光ディスク２１が回転自在に収納される。
【００７５】
次に、図１５に示すように、第１のシャッタ部材５０を所定位置に嵌め込む。即ち、第１のシャッタ部材５０のシャッタ部５０ａで中シェル２５の開口部２７のうちヘッド用領域を覆うようにして帯状部５０ｂを上シェル２３の帯ガイド部３０内に挿入する。このとき、帯状部５０ｂは帯ガイド部３０と略同一の曲率半径を有する円弧状に形成されており、帯ガイド部３０に沿って帯状部５０ｂが延在されている。そのため、帯状部５０ｂ、特に薄肉部５３ｂを帯ガイド部３０の円弧と同程度の曲率半径を有する円弧に湾曲させる作業を必要としないことから、第１のシャッタ部材５０の組立作業を極めて簡単且つ迅速に行うことができる。特に、カートリッジ筐体２２の一方の側面に設けたガイド溝３２に連通された通し孔２９ｃは他の部分よりも隙間が狭く設定されているが、薄肉部５３ｂが通し孔２９ｃに沿うように湾曲されているため、狭い通し孔２９ｃであっても簡単に通すことができる。
【００７６】
次に、第２のシャッタ部材５１を第１のシャッタ部材５０に組み立てる。このとき、第２のシャッタ部材５１は、図１２に示すように、シャッタの開状態で第１のシャッタ部材５０に重ね合せ、係合孔５６の大径部５６ａに筒軸部５２ａを挿入する。その後、第２のシャッタ部材５１を若干スライドさせて筒軸部５２ａを大径部５６ａから係合孔５６に移動する。これと同時に、第２のシャッタ部材５１の重合縁５７ｂを第１のシャッタ部材５０の重合縁５７ａに近づけ、互いに重合縁５７ａ，５７ｂを重ね合せる。そして、第２のシャッタ部材５１の筒軸部５５ａを上シェル２３の後側軸凸部３４ｂに嵌合させる。
【００７７】
更に、上シェル２３の防止片収納部３７内に誤消去防止片３６を収納する。また、ロック部材３５を、上シェル２３の所定位置に取り付ける。即ち、前側軸凸部３４ａにロック部材３５の筒軸部３５ａを嵌合し、操作片３５ｃを側壁２３ｃの貫通孔２９ｄに内側から挿入する。そして、バネ片３５ｄを前側壁２３ａの内面に当接させる。その結果、バネ片３５ｄのバネ力によってロック部材３５が図２０Ａにおいて時計方向に付勢される。これにより、ロック爪３５ｂの先端部が第１のシャッタ部材５０の帯状部５０ｂの薄肉部５３ｂに外側から圧接される。これと同時に、操作片３５ｃの先端部が貫通孔２９ｄを貫通して、ガイド溝３２内に突出される。この状態を示すものが、図１６である。
【００７８】
その後、下シェル２４を上シェル２３に重ね合せる。そして、４本の固定ネジ５９を使用して、下シェル２４を上シェル２３に締付固定する。この状態を示すものが、図１７である。また、図１８は、下シェル２４とシャッタ機構２８との関係を示すものである。図１８において、実線で示すシャッタ機構２８は、下シェル２４の開口部３８を閉じた状態を表すもので、一対のシャッタ部材５０，５１によって開口部３８は完全に閉鎖されている。この実線で示すシャッタ機構２８の閉状態は、図１６に対応するものである。
【００７９】
この場合、一対のシャッタ部材５０，５１と開口部３８との間には、開口部３８の全周に亘って適度な重ね合せ部が設定されている。しかも、一対のシャッタ部材５０，５１は、互いの重合縁５７ａ，５７ｂによって開口部３８を横断する部分の全体が重ね合されている。従って、図２４Ａに示すように、これらの重ね合せ部によってラビリンス効果が発生し、開口部３８の全周に亘ってチリや埃等が入り難い構造となっている。そのため、チリや埃等の進入を効果的に防止又は抑制することができる。これに対して、図２４Ｂに示すように、従来のディスクカートリッジ（図４０）では、上シェル２ａの外側にシャッタ部材６が位置しているだけの構造であるため、シャッタ部材６と上シェル２ａによってラビリンス効果を生ずることがなく、チリや埃等の進入が比較的容易に行われていた。
【００８０】
また、図１８において、二点鎖線で示すシャッタ機構２８は、下シェル２４の開口部３８を開いた状態を表すもので、一対のシャッタ部材５０，５１によって開口部３８は完全に開放されている。この二点鎖線で示すシャッタ機構２８の開状態は、図１９に対応するものである。
【００８１】
上述したような組立作業を実行することにより、図２１に示すディスクカートリッジ２０が製造される。このディスクカートリッジ２０によれば、上シェル２３と中シェル２５と下シェル２４とによってカートリッジ筐体２２が構成される。そして、上シェル２３と中シェル２５とで形成されるディスク収納室２６内に光ディスク２１が回転自在に収納されている。このディスクカートリッジ２０を断面したものが、図２２及び図２３である。図２２は、図２１のＸ−Ｘ線部分を断面して示すもので、各構成部品は写実的に現されている。これに対して、図２３は、ディスクカートリッジ２０の構成を概略的に現したもので、各構成部品の厚み等は実際のものと異なるものになっている。
【００８２】
上述したような構成を有するディスクカートリッジ２０がディスク記録再生装置に装着される前には、シャッタ機構２８は図１６及び図２１〜図２３に示すような状態になっている。即ち、シャッタ機構２８は、一対のシャッタ部材５０，５１の自重や上下シェル２３，２４との間に生じている摩擦力等によって中シェル２５の開口部２７及び下シェル２４の開口部３８を完全に閉じた状態にある。更に、図２０Ａ等に示すように、ロック部材３５のロック爪３５ｂが第１のシャッタ部材５０の帯状部５０ｂに設けたロック孔５４に係合された状態にある。そのため、シャッタ機構２８は、ロック機構によりロックされて開口部３８を完全に閉じた状態に保持されている。
【００８３】
このような状態のディスクカートリッジ２０を、図２６乃至図２８に示すように、ディスク記録再生装置６０に挿入することにより、このディスク記録再生装置６０に設けられているシャッタ開閉機構によってロック部材３５のロック状態が解除される。その後、このシャッタ開閉機構によってシャッタ機構２８が開放され、開口部２７，３８が共に開かれる。このシャッタ機構２８の開閉動作は、後に詳細に説明する。
【００８４】
次に、ディスク記録再生装置６０について説明する。このディスク記録再生装置６０は、図２６〜図２８に示すように、中空の筐体からなる外装ケース６１と、この外装ケース６１内に収納された記録再生装置本体６２等を備えて構成されている。外装ケース６１は、図２６に示すように、上面及び前面に開口されたケース本体６３と、このケース本体６３の上面を閉じるように上部に着脱可能に取り付けられたケース蓋体６４と、ケース本体６３及びケース蓋体６４の前面を閉じるように前部に着脱可能に取り付けられた前部パネル６５等を備えている。
【００８５】
ケース本体６３の４箇所には、下方に突出する脚体６３ａが設けられている。これらの脚体６３ａによってディスク記録再生装置６０が支えられ、適宜位置に取り付けられる。前部パネル６５は、横長とされた板状部材からなり、その上部には横長のカートリッジ出入口６６が設けられている。カートリッジ出入口６６は、ディスクカートリッジ２０の正面側の大きさと略同程度の大きさに形成されている。このカートリッジ出入口６６は、その内側に配置された開閉扉６７によって常時は閉じられている。
【００８６】
この開閉扉６７をディスクカートリッジ２０の前部で押圧し、図２７に示すように、所定の位置まで差し込む。これにより、図示しないローディング機構によってディスクカートリッジ２０が自動的に取り込まれる。そして、ローディング機構で搬送されたディスクカートリッジ２０は、図２８に示すように、所定位置で位置決めされて固定される。これと同時に又は前後して、シャッタ機構２８の作動によって開口部２７，３８が開放される。
【００８７】
その後、開放された開口部２７，３８内にディスク回転駆動装置６８のターンテーブル６８ａと光学ピックアップ装置６９の光学ヘッド６９ａとが入り込む。そして、ターンテーブル６８ａが光ディスク２１のセンタ孔２１ａに係合し、ターンテーブル６８ａに内蔵されているマグネットによってセンタハブ４０を吸着して保持する。これと同時に又は前後して、光学ヘッド６９ａが光ディスク２１の情報記録領域に所定位置まで接近する。これにより、ディスク記録再生装置６０による光ディスク２１に対する情報信号の記録及び再生操作が可能となる。
【００８８】
このディスク記録再生装置６０の記録再生装置本体６２は、例えば、図２５に示すような構成要素を備えて構成されている。即ち、記録再生装置本体６２は、システムコントローラＳ１とメモリーコントローラＳ５とドライブコントローラＤ１との３つの制御装置を備えている。システムコントローラＳ１とメモリーコントローラＳ５とは直に接続されていて、その接続ラインには読取り専用記憶装置（ＲＯＭ）Ｓ２と読取り書込み記憶装置（ＲＡＭ）Ｓ３とが接続されている。更に、メモリーコントローラＳ５には、メモリーＳ４とＭＰＥＧ２（３Ｍ〜４０Ｍbps に対応した既存のテレビ放送、ＨＤＴＶ、広帯域ＩＳＤＮなどに応用される動画圧縮方式）用のエンコーダーＳ６及びデコーダーＳ７とが接続されている。更に、システムコントローラＳ１には、コントロールパネルＳ８とリモコン受信部Ｓ９とが接続されている。
【００８９】
また、ドライブコントローラＤ１にはＥＣＣＤ４が接続されていて、その接続ラインには記憶装置（ＲＯＭ）Ｄ２及び記憶装置（ＲＡＭ）Ｄ３と、サーボ回路Ｄ６及びアドレスデコーダーＤ７とが接続されている。更に、ドライブコントローラＤ１には記録時のエラーを判断する記録時エラー判断回路Ｄ８が接続されている。このドライブコントローラＤ１は、コマンド用インタフェースを介してシステムコントローラＳ１に接続されている。また、ＥＣＣＤ４、データ用インタフェースを介してメモリーコントローラＳ５に接続されていると共に、変復調回路Ｄ５にも接続されている。そして、変復調回路Ｄ５は、光学ピックアップ装置６９の光学ヘッド６９ａに接続されている。
【００９０】
また、サーボ回路Ｄ６は、ディスク回転駆動装置であるスピンドルモータ６８と、光学ピックアップ装置６９と、記録時エラー判断回路Ｄ８とに接続されている。更に、光学ピックアップ装置６９はアドレスデコーダーＤ７に接続され、このアドレスデコーダーＤ７は記録時エラー判断回路Ｄ８にも接続されている。
【００９１】
このような構成を有するディスク記録再生装置６０のカートリッジ出入口６６からディスクカートリッジ２０を挿入すると、ディスク記録再生装置６０に内蔵された図示しないシャッタ開閉機構の掴み部が、ディスクカートリッジ２０の一方の側面部に設けたガイド溝３２内に入り込む。これにより、ガイド溝３２内に突出されているシャッタ機構２８の操作部５３ｄを掴み部が挟持する。この掴み部はディスクカートリッジ２０の挿入方向には移動しないため、ディスクカートリッジ２０の挿入量に応じて相対的に操作部５３ｄが引き出される。
【００９２】
このとき、操作部５３ｄに入力される引張力によって第１のシャッタ部材５０の帯状部５０ｂが引っ張られる。この帯状部５０ｂは上シェル２３の帯ガイド部３０にガイドされて、図１６において反時計方向に回転移動する。この帯状部５０ｂの回転移動は、上シェル２３の内壁２３ｅの外周面にガイドされて行われるため、円弧運動であってもスムースに行うことができる。この帯状部５０ｂの移動により、開口部２７，３８のヘッド用領域を覆っているシャッタ部５０ａが同様に反時計方向に回動される。その結果、図１９に示すように、シャッタ部５０ａによって覆われていた開口部２７，３８のヘッド用領域が開放される。
【００９３】
この際、第１のシャッタ部材５０はディスク収納室２６の中央部を中心にして回転移動する。そのため、シャッタ部５０ａの内側に連続して形成されたアーム部５２の先端に設けられた筒軸部５２ａが同様に回転してカートリッジ筐体２２の背面側に移動する。この筒軸部５２ａには第２のシャッタ部材５１の係合孔５６が係合されているため、筒軸部５２ａの背面側への移動によって第２のシャッタ部材５１が背面側に押圧される。このとき、第２のシャッタ部材５１は、その筒軸部５５ａが上シェル２３の後側軸凸部３４ｂに係合されているため、この軸凸部３４ｂを回転中心として第２のシャッタ部材５１が、図１６において時計方向へ回転移動する。
【００９４】
その結果、図１９に示すように、第２のシャッタ部材５１の背面側への移動により、第２のシャッタ部材５１によって覆われていた開口部２７，３８のテーブル用領域が開放される。これにより、開口部２７，３８を覆っている第１及び第２のシャッタ部材５０，５１が共に開放側に移動するために、開口部２７，３８の全体が開放されて光ディスク２１の一部が露出される。そのため、開口部２７，３８に対するターンテーブル６８ａ及び光学ヘッド６９ａの挿入が可能となる。
【００９５】
このとき、第１のシャッタ部材５０の帯状部５０ｂが所定位置まで引き出されると、ディスクカートリッジ２０とシャッタ開閉機構との相対移動が停止され、掴み部による操作部５３ｄの保持状態が継続される。その結果、シャッタ開閉機構によって第１のシャッタ部材５０が開いた状態でロックされる。この第１のシャッタ部材５０のロックによって第２のシャッタ部材５１もロックされ、図１９に示すように、第１及び第２のシャッタ部材５０，５１が共に開放状態に保持される。
【００９６】
そこで、ターンテーブル６８ａ等をディスクカートリッジ２０側へ移動するか又はディスクカートリッジ２０をターンテーブル６８ａ側へ移動することにより、ターンテーブル６８ａに光ディスク２１が装着されると共に、光学ヘッド６９ａが所定の間隔を保持して光ディスク２１の情報記録面に対面される。これにより、ディスク記録再生装置６０による光ディスク２１の情報記録面に対する情報信号の再生又は記録が可能となる。
【００９７】
そこで、記録再生装置本体６２を動作させ、スピンドルモータ６８の駆動によりターンテーブル６８ａを介して光ディスク２１を回転させると共に、光学ピックアップ装置６９の駆動により光学ヘッド６９ａからレーザ光を出射して情報記録面に予め記録されている情報信号を読み出し、又はその情報記録面に対して新たな情報信号を書き込む。これにより、記録再生装置本体６２による情報信号の再生又は記録が実行される。
【００９８】
このようにして行われる情報信号の再生又は記録の後、例えば、ディスク記録再生装置６０に設けられるカートリッジ排出ボタン（図示せず）を操作することにより、ローディング機構の作動を介してディスクカートリッジ２０がディスク記録再生装置６０から排出される。即ち、ローディング機構の排出動作によってディスクカートリッジ２０がカートリッジ出入口６６側に移動すると、シャッタ開閉機構の掴み部によって保持されているシャッタ機構２８の操作部５３ｄが押圧される。
【００９９】
その結果、ディスクカートリッジ２０が所定距離を移動して操作部５３ｄが通し孔２９ｃの近傍まで戻されると、帯状部５０ｂが帯ガイド部３０にガイドされて当初の閉じ状態の位置まで移動する。これにより、図１６に示すように、第１のシャッタ部材５０のシャッタ部５０ａによって開口部２７，３８のヘッド用領域が閉じられる。
【０１００】
このとき、下シェル２４に開口部３８を設けたことにより帯ガイド部３０の端面が帯状部５０ｂの移動軌跡上に位置しているため、肉厚部５３ａの先端部が開口部３８から再び帯ガイド部３０内に入るときに、帯ガイド部３０を縁取る周縁部に当接するおそれがあるが、その周縁部に面取り加工を施すことにより肉厚部５３ａの通過を容易にして挿入動作が害されるおそれをなくすことができる。
【０１０１】
また、第１のシャッタ部材５０の閉じ動作に連動して第２のシャッタ部材５１が、図１９において反時計方向に回転移動される。これにより、図１６に示すように、第２のシャッタ部材５１によって開口部２７，３８のテーブル用領域が閉じられる。その結果、２枚で一対のシャッタ部材５０，５１によって開口部２７，３８の全体が完全に閉じられる。
【０１０２】
このとき、第１のシャッタ部材５０の帯状部５０ｂが所定位置まで押し戻されると、その薄肉部５３ｂに設けたロック孔５４がロック部材３５のロック爪３５ｂの位置に到達する。このロック爪３５ｂは、バネ片３５ｄのバネ力によって常に薄肉部５３ｂ側に付勢されているため、ロック孔５４が所定位置に到達したところでロック爪３５ｂがロック孔５４に入り込む。その結果、ロック部材３５によるロック機構によって第１のシャッタ部材５０がロックされる。この第１のシャッタ部材５０のロックによって第２のシャッタ部材５１もロックされ、図１６に示すように、第１及び第２のシャッタ部材５０，５１が共に閉鎖状態に保持される。
【０１０３】
この場合、帯状部５０ｂをロックするロック部材３５によるロック機構は、第１のシャッタ部材５０の閉じ方向への移動のみを許容し、その反対側への移動を阻止するワンウェイ構造となっている。その結果、ロック状態において、操作部５３ｄに帯状部５０ｂを引っ張る力が加えられたり、或いはシャッタ部５０ａを開くような力が加えられたような場合には、ロック爪３５ｂがロック孔５４に食い込むように作用する。そのため、ロック状態でシャッタを開放する力が働いた場合にも、ロック部材３５によるロック状態が解除されることがなく、第１及び第２のシャッタ部材５０，５１は共に閉鎖状態に保持される。
【０１０４】
このとき、第１のシャッタ部材５０の帯状部５０ｂの薄肉部５３ｂは、図２０Ａに示すように、長手方向に撓みが生じてオーバーストローク状態となる。そのため、第１のシャッタ部材５０が完全に閉じたときにも、その反力が操作部５３ｄを把持している掴み部に衝撃力として付加されるのを防ぐことができる。従って、第１のシャッタ部材５０が閉じるときに生ずる反力により、シャッタ開閉機構が破損したり第１のシャッタ部材５０自体が破損される等の不具合の発生を防止することができる。この際に生じた薄肉部５３ｂの撓み変形は、掴み部が操作部５３ｄから外れることにより、図２０Ｂに示すように、薄肉部５３ｂ自体が持つ弾性によって元の自由状態に戻される。
【０１０５】
また、シャッタ機構２８の閉状態では、Ｕ字状に形成された第２のシャッタ部材５１の内シャッタ片５１ａと外シャッタ片５１ｂとの間に第１のシャッタ部材５０のシャッタ部５０ａが入り込む。そのため、図１１に示すように２つのシャッタ部材５０，５１の挟み込みにより、その重合縁５７ａ，５７ｂ間にラビリンス機能を発生させることができる。このラビリンス機能により、２つのシャッタ部材５０，５１間の隙間から気体が漏れ出るのを抑制することができ、従って、その気体の流れに伴うチリや埃等の進入を効果的に抑制することができる。尚、図１１Ｂに示すように、２つのシャッタ部材を共にＵ字状に形成し、その重合縁を互いに重ね合せることによりラビリンス機能を更に高めることができ、チリや埃等の防塵効果をより効果的に発揮させることができる。
【０１０６】
図２９乃至図３５は、本発明のディスクカートリッジ２０に係るシャッタ機構の第２の実施例を示すものである。この第２実施例のシャッタ機構７０は、第１のシャッタ部材７１と第２のシャッタ部材７２とから構成されている点では上述した第１実施例のシャッタ機構２８と共通しているが、両機構２８，７０が大きく異なるところは２枚のシャッタ部材７１，７２の連結構造に存在する。即ち、第２実施例のシャッタ機構７０の新たな特徴は、２枚のシャッタ部材７１，７２を部分組立が可能な構成として組立性の大幅な向上を図った点にある。
【０１０７】
第１のシャッタ部材７１及び第２のシャッタ部材７２の形状及び構成は、上述した第１実施例の第１及び第２のシャッタ部材５０，５１と略同様であるため、略同様の部分には同一の符号を付して詳細な説明は省略し、異なる点について新たな符号を付して詳細に説明する。
【０１０８】
まず、第１及び第２のシャッタ部材７１，７２が第１及び第２のシャッタ部材５０，５１と共通する点について説明する。図２９〜図３２に示すように、第１のシャッタ部材７１は、略同様の形状を備えたシャッタ部５０ａと帯状部５０ｂとを有している。帯状部５０ｂは略同様の形状及び構造を備えており、厚肉部５３ａと薄肉部５３ｂとを有している。厚肉部５３ａには切欠き５３ｃが設けられ、薄肉部５３ｂには操作部５３ｄとロック孔５４とが設けられている。そして、シャッタ部５０ａが、アーム部５２を有する点は共通である。また、第２のシャッタ部材７２が、筒軸部５５ａを有する点も共通である。
【０１０９】
次に、第１及び第２のシャッタ部材７１，７２の異なる点について説明する。第１のシャッタ部材７１のアーム部５２の先端部には庇付き軸部７３が設けられている。図３３Ａ，Ｂ及び図３４Ａ，Ｂに示すように、庇付き軸部７３は、一面側に突出する軸部７３ａと、この軸部７３ａの先端部に連続して設けられ且つ直径方向両側に突出する庇部７３ｂとを有している。庇部７３ｂは、一方に大きく突出されている。これに対して、第１のシャッタ部材７１には、庇部７３ｂを貫通させることができる大きさの長孔からなる係合孔７４が設けられている。この係合孔７４と庇部７３ｂとは、シャッタ機構７０の閉状態から開状態に至るまでのいずれの状態においても、互いの長手方向が一致することがないようにその方向性が設定されている。
【０１１０】
また、第１のシャッタ部材７１と第２のシャッタ部材７２とは互いの端面によって突き当てられる構造となっており、両部材７１，７２の突き当て部７１ａ，７２ａを当接させて開口部２７，３８を閉鎖する構成となっている。即ち、第１のシャッタ部材７１の突き当て部７１ａには凹部７５を設ける一方、第２のシャッタ部材７２の突き当て部７２ａには凹部７５に係合される凸部７６が設けられている。この凹部７５及び凸部７６の形状は、図３５Ａに示すような断面形状とされている。
【０１１１】
第１のシャッタ部材７１の凹部７５は、一面側に傾斜面７５ａを設けた楔状の窪みからなり、この窪みを突き当て部７１ａの略全長に亘って延在させることにより長溝からなる凹部７５が形成されている。これに対して、凸部７６は、凹部７５に対応した断面形状を有しており、一面側に傾斜面７６ａを設けた楔状の突起からなり、この突起を突き当て部７２ａの略全長に亘って延在させることにより突条からなる凸部７６が形成されている。このように互いの突き当て部７１ａ，７２ａに凹凸を設け、その凹凸を噛み合わせた状態で開口部２７，３８を閉じる構成とすることにより、その突当面からのチリや埃等の進入を効果的に防止することができる。
【０１１２】
尚、凹部７５の水平面の開口部には、傾斜面７５ａと反対側に傾斜する傾斜面７５ｂが設けられている。この傾斜面７５ｂは、凸部７６を導いて凹部７５との係合が容易に行えるようにするものである。
【０１１３】
また、図２９〜図３２に示すように、第１のシャッタ部材７１と第２のシャッタ部材７２には、互いに係合されて相手のシャッタ部材をロックするシャッタ閉合機構７７が設けられている。このシャッタ閉合機構７７は、第１のシャッタ部材７１に設けたロック受け部７８と第２のシャッタ部材７２に設けたロック部７９とから構成されている。ロック受け部７８は、突き当て部７１ａの端面側に開口した円形の切欠き部からなり、出口を若干狭くすることによってクリック感を発生させるようにしている。
【０１１４】
一方、ロック部７９は、弾性を有する一対のロック片からなり、各ロック片の先端部を円弧状に形成し、全体に丸みを持たせることによってロック受け部７８に対して着脱可能に構成している。このロック機構７７を用いることにより、２枚のシャッタ部材７１，７２を部分組立して所定形状に保持することができる。従って、ロック機構７７の部分組立化を可能として、組立作業の効率化を図ることができる。
【０１１５】
この第２実施例に係るシャッタ機構７０は、例えば、次のようにして部分組立を行うことができる。まず、図３４Ａに示すように、第１のシャッタ部材７１の庇付き軸部７３を第２のシャッタ部材７２の係合孔７４に臨ませ、庇部７３ｂの長手方向を係合孔７４の長手方向に一致させる。この状態で、図３４Ｂに示すように、庇部７３ｂを係合孔７４に貫通させる。その後、２つのシャッタ部材７１，７２を相対的に回転変位させることにより、一対のシャッタ部材７１，７２の部分組立が完了する。
【０１１６】
このとき、図３３Ａ，Ｂに示すように、庇部７３ｂの長手方向両端がそれぞれ係合孔７４の縁に係合されているため、庇付き軸部７３と係合孔７４との係合状態が解除されるおそれがない。この庇付き軸部７３と係合孔７４との係合状態は、図２９及び図３０に示すシャッタ機構７０の開放状態から図３１及び図３２に示すシャッタ機構７０の閉鎖状態に至るまでの全ての状態で保持される。従って、シャッタ機構７０の開閉時のいずれにおいても、一対のシャッタ部材７１，７２間に外れ等の問題を生ずることがなく、また、上述した第１実施例と同様にスムースな開閉動作を確保することができる。
【０１１７】
図３６及び図３７は、シャッタ閉合機構の第２の実施例を示すものである。この第２の実施例に係るシャッタ閉合機構９０は、第１のシャッタ部材７１に設けたロック受け部９１と第２のシャッタ部材７２に設けたロック部９２とから構成されている。ロック受け部９１は、突き当て部７１ａの端面側に開口した略四角形をなす切欠きからなり、開口側の一側に突部９１ａが設けられている。また、ロック部９２は、弾性を有するロック片からなり、その先端部に爪部９２ａを設けることによってクリック感を発生させると共に、ロック受け部９１に対して着脱可能に構成している。このロック機構７７を用いることにより、２枚のシャッタ部材７１，７２を部分組立して所定形状に保持することができる。
【０１１８】
また、図３８及び図３９には、シャッタ閉合機構の第３の実施例を示す。この第２の実施例に係るシャッタ閉合機構９４は、第２の実施例に示したロック部９２の爪部９２ａを内向きに形成すると共に、この爪部９２ａに対応させてロック受け部９１の突部９１ａを半径方向内側に設けたものである。他の構成は上述した実施例と同様であり、かかる構成とすることによっても同様の効果を得ることができる。
【０１１９】
以上説明したが、本発明は上記した実施の例に限定されるものではなく、例えば、上記実施例においては、情報記録媒体として光ディスクを用いた例について説明したが、光磁気ディスク、フロッピーディスク等の磁気ディスク、その他各種のディスク状記録媒体に適用することができる。更に、上記実施例では、情報記録再生装置として記録再生兼用のディスク記録再生装置に適用した例について説明したが、記録又は再生の一方のみが可能なディスク記録装置又はディスク再生装置に適用できることは勿論である。
【０１２０】
また、上記実施例においては、カートリッジ筐体２２の下シェル２４及び中シェル２５に開口部２７，３８を設けた例について説明したが、これとは逆に上シェルのみに開口部を設けてもよく、また、下シェル２４及び中シェル２５に加えて上シェルにも開口部を設け、カートリッジ筐体の上下から同時にアクセスできる構造とすることもできる。このように、本発明は、その趣旨を逸脱しない範囲で種々変更できるものである。
【０１２１】
【発明の効果】
以上説明したように、本出願の請求項１記載のディスクカートリッジによれば、カートリッジ筐体とディスク状記録媒体とシャッタ機構とを備えたディスクカートリッジにおいて、一対のシャッタ部材にシャッタ閉合機構を設ける構成としたため、シャッタ機構が閉じたときにはシャッタ閉合機構によって一対のシャッタ部材をロックすることができる。従って、一対のシャッタ部材を確実に閉合させて所定以下の力ではシャッタ機構が開放することがなく、ゴミや埃等がディスク収納室内に入り込むのを効果的に防止又は抑制して防塵性に優れたディスクカートリッジを提供することができるという効果が得られる。
【０１２２】
本出願の請求項２記載のディスクカートリッジによれば、一方のシャッタ部材にロック部を設け且つ他方のシャッタ部材にロック受け部を設けてシャッタ閉合機構を構成するようにしたため、一対のシャッタ部材を相互に結合させてシャッタ機構を簡単且つ確実にロックすることができ、所定以下の力では開けられることがなく防塵性に優れたディスクカートリッジを提供することができるという効果が得られる。
【０１２３】
本出願の請求項３記載のディスクカートリッジによれば、爪部を設けた弾性片をロック部として形成すると共に凸部を設けた切欠き部をロック受け部としてシャッタ閉合機構を構成するようにしたため、一対のシャッタ部材を相互に結合して開口部を簡単且つ確実にロックすることができ、ゴミや埃等がディスク収納室内に入り込むのを効果的に防止又は抑制できるディスクカートリッジを提供することができるという効果が得られる。
【０１２４】
本出願の請求項４記載のディスクカートリッジによれば、弾性を有する一対のロック片をロック部として形成すると共に切欠き部をロック受け部としてシャッタ閉合機構を構成するようにしたため、一対のシャッタ部材を相互に結合して開口部を簡単且つ確実にロックすることができ、ゴミや埃等がディスク収納室内に入り込むのを効果的に防止又は抑制できるディスクカートリッジを提供することができるという効果が得られる。
【０１２５】
本出願の請求項５記載のディスクカートリッジによれば、弾性を有する一対のロック片でロック部を形成すると共に切欠き部をロック受け部としてシャッタ閉合機構を構成するようにしたため、一対のシャッタ部材を相互に結合して開口部を簡単且つ確実にロックすることができ、ゴミや埃等がディスク収納室内に入り込むのを効果的に防止又は抑制できるディスクカートリッジを提供することができるという効果が得られる。
【０１２６】
本出願の請求項６記載のディスクカートリッジによれば、第２のシャッタ部材をカートリッジ筐体に回転自在に支持し、このシャッタ部材に第１のシャッタ部材を回転自在に連結して第１のシャッタ部材に設けた帯状部をカートリッジ筐体の外部に突出させる構成としたため、この帯状部に外力を加えてシャッタ機構を開閉操作することができ、一対のシャッタ部材を確実且つスムースに開閉動作させることができるという効果が得られる。
【０１２７】
本出願の請求項７記載のディスクカートリッジによれば、帯状部の一側部の長さを第１のシャッタ部材の移動ストロークよりも長く設定すると共にその部分の剛性を他の部分よりも低くして撓み変形し易い構成としたため、シャッタ機構を閉じる際に一側部を撓み変形させて一対のシャッタ部材をオーバーストロークさせることができ、これにより、シャッタ機構のガタを吸収して開口部を確実且つスムースに閉じることができるという効果が得られる。
【０１２８】
本出願の請求項８記載のディスクカートリッジによれば、一方のシャッタ部材に軸部を設けると共に他方のシャッタ部材に係合孔を設け、この係合孔に軸部を係合して回動可能に連結する構成としたため、第１のシャッタ部材の帯状部に外力を加えて開閉操作することにより、一対のシャッタ部材に回動運動を生じさせてシャッタ機構を確実且つスムースに開閉動作させることができるという効果が得られる。
【０１２９】
本出願の請求項９記載のディスクカートリッジによれば、軸部には庇部を設けると共に係合孔は庇部が貫通可能な長孔として構成することにより、係合孔に庇部を貫通させた後相対的に回動させることによって一対のシャッタ部材を回動自在に連結することができ、部分組立を可能として組立性に優れたシャッタ機構を備えたディスクカートリッジを提供することができるという効果が得られる。
【図面の簡単な説明】
【図１】本発明のディスクカートリッジの第１の実施例を示すもので、上面側から見た状態の分解斜視図である。
【図２】図１に示すディスクカートリッジを下面側から見た状態の分解斜視図である。
【図３】図１に示すディスクカートリッジの上シェルの底面図である。
【図４】図１に示すディスクカートリッジの下シェルの平面図である。
【図５】図１に示すディスクカートリッジの中シェルの平面図である。
【図６】図５に示す中シェルの中央部縦断面図である。
【図７】図５に示す中シェルのリブ部の高さの関係を説明するための説明図である。
【図８】図１に示すディスクカートリッジのシャッタ機構の第１実施例に係る第１のシャッタ部材を示す斜視図である。
【図９】図１に示すディスクカートリッジのシャッタ機構の第１実施例に係る第２のシャッタ部材を示す斜視図である。
【図１０】図１に示すディスクカートリッジのシャッタ機構の第１実施例を示すもので、シャッタ機構の閉状態の底面図である。
【図１１】同図Ａは図１０に示すシャッタ機構のＷ−Ｗ線部分の拡大断面図、同図Ｂは他の実施例のＷ−Ｗ線部分の拡大断面図である。
【図１２】図１に示すディスクカートリッジのシャッタ機構の第１実施例を示すもので、シャッタ機構の開状態の底面図である。
【図１３】図２に示す上シェルに光ディスクを組み込んだ状態の平面図である。
【図１４】図１３に更に中シェルを組み込んだ状態の平面図である。
【図１５】図１４に更に第１のシャッタ部材を組み込んだ状態の平面図である。
【図１６】図１５に更に第２のシャッタ部材を組み込んだ状態を示すもので、シャッタ機構の閉状態の平面図である。
【図１７】図１６に更に下シェルを組み込んだ状態の平面図である。
【図１８】図４に示す下シェルに第１及び第２のシャッタ部材を組み込んだ状態の平面図である。
【図１９】図１６に示すシャッタ機構を開いた状態の平面図である。
【図２０】図１６に示すシャッタ機構によるシャッタロック後の状態を説明するためのもので、同図Ａはオーバーストローク状態、同図Ｂは自由状態を示すそれぞれ説明図である。
【図２１】図１に示すディスクカートリッジの組立後の状態を示す斜視図である。
【図２２】図２１に示すディスクカートリッジのＸ−Ｘ線部分の拡大断面図である。
【図２３】図２１に示すディスクカートリッジの構成を説明するための中央部縦断面図である。
【図２４】本発明のディスクカートリッジのシャッタ機構と従来のシャッタ機構との相違を説明するためのもので、同図Ａは本発明に係るシャッタ機構の防塵機能の説明図、同図Ｂは従来のシャッタ機構の防塵機能の説明図である。
【図２５】本発明のディスクカートリッジが使用されるディスク記録再生装置の回路構成の一実施例を示すブロック説明図である。
【図２６】本発明のディスクカートリッジが使用されるディスク記録再生装置に図１に示すディスクカートリッジを挿入する前の状態を示す斜視図である。
【図２７】本発明のディスクカートリッジが使用されるディスク記録再生装置に図１に示すディスクカートリッジを挿入している状態を示す斜視図である。
【図２８】本発明のディスクカートリッジが使用されるディスク記録再生装置に図１に示すディスクカートリッジを挿入した後の状態を示す斜視図である。
【図２９】本発明のディスクカートリッジに係るシャッタ機構の第２の実施例を示すもので、上シェルに組み込まれたシャッタ機構の開状態を示す斜視図である。
【図３０】図２９に示すシャッタ機構を取り出して示すシャッタ開状態の平面図である。
【図３１】図２９に示すシャッタ機構の閉状態を示す斜視図である。
【図３２】図３１に示すシャッタ機構を取り出して示すシャッタ閉状態の平面図である。
【図３３】図３２に示すシャッタ機構の要部を拡大して示すもので、同図Ａは平面図、同図Ｂは底面図である。
【図３４】図３３に示すシャッタ機構の要部の組立時における位置関係を説明するためのもので、同図Ａは庇付き軸部と係合孔の長手方向を一致させた状態の平面図、同図Ｂは同図ＡのＹ−Ｙ線断面図である。
【図３５】図３２に示すシャッタ機構のＺ−Ｚ線部分を断面して拡大して示すもので、同図Ａは突き合せ前の状態の説明図、同図Ｂは突き合せ後の状態の説明図である。
【図３６】本発明のディスクカートリッジに係るシャッタ機構の第３の実施例を示すもので、シャッタ機構の開状態を示す平面図である。
【図３７】図３６に示す第３の実施例に係るシャッタ機構の閉状態を示す平面図である。
【図３８】本発明のディスクカートリッジに係るシャッタ機構の第４の実施例を示すもので、シャッタ機構の開状態を示す平面図である。
【図３９】図３８に示す第４の実施例に係るシャッタ機構の閉状態を示す平面図である。
【図４０】従来のディスクカートリッジの第１の例を示す斜視図である。
【図４１】従来のディスクカートリッジの第２の例を示す分解斜視図である。
【図４２】図４１に示す従来のディスクカートリッジのシャッタ閉状態を示す説明図である。
【図４３】図４１に示す従来のディスクカートリッジのシャッタ開状態を示す説明図である。
【符号の説明】
２０  ディスクカートリッジ、  ２１  光ディスク（ディスク状記録媒体）、２２  カートリッジ筐体、  ２３  上シェル、  ２４  下シェル、  ２５  中シェル、  ２６  ディスク収納室、  ２７，３８  開口部、  ２８，７１  シャッタ機構、  ３０  帯ガイド部、  ３２  ガイド溝、  ３５  ロック部材、  ３５ｂ  ロック爪、  ３５ｃ  操作片、  ３９  リブ部、  ５０，７１  第１のシャッタ部材、  ５０ａ  シャッタ部、  ５０ｂ  帯状部、  ５１，７２  第２のシャッタ部材、  ５２ａ  筒軸部、  ５３ｄ  操作部、  ５６，７４  係合孔、６０  ディスク記録再生装置、  ６２  記録再生装置本体、  ６８  ディスク回転駆動装置、  ６８ａ  ターンテーブル、  ６９  光学ピックアップ装置、  ６９ａ  光学ヘッド
【図１】
0004296683.tif 000002
【図２】
0004296683.tif 000003
【図３】
0004296683.tif 000004
【図４】
0004296683.tif 000005
【図５】
0004296683.tif 000006
【図６】
0004296683.tif 000007
【図７】
0004296683.tif 000008
【図８】
0004296683.tif 000009
【図９】
0004296683.tif 000010
【図１０】
0004296683.tif 000011
【図１１】
0004296683.tif 000012
【図１２】
0004296683.tif 000013
【図１３】
0004296683.tif 000014
【図１４】
0004296683.tif 000015
【図１５】
0004296683.tif 000016
【図１６】
0004296683.tif 000017
【図１７】
0004296683.tif 000018
【図１８】
0004296683.tif 000019
【図１９】
0004296683.tif 000020
【図２０】
0004296683.tif 000021
【図２１】
0004296683.tif 000022
【図２２】
0004296683.tif 000023
【図２３】
0004296683.tif 000024
【図２４】
0004296683.tif 000025
【図２５】
0004296683.tif 000026
【図２６】
0004296683.tif 000027
【図２７】
0004296683.tif 000028
【図２８】
0004296683.tif 000029
【図２９】
0004296683.tif 000030
【図３０】
0004296683.tif 000031
【図３１】
0004296683.tif 000032
【図３２】
0004296683.tif 000033
【図３３】
0004296683.tif 000034
【図３４】
0004296683.tif 000035
【図３５】
0004296683.tif 000036
【図３６】
0004296683.tif 000037
【図３７】
0004296683.tif 000038
【図３８】
0004296683.tif 000039
【図３９】
0004296683.tif 000040
【図４０】
0004296683.tif 000041
【図４１】
0004296683.tif 000042
【図４２】
0004296683.tif 000043
【図４３】
0004296683.tif 000044